(57)【要約】      （修正有）【課題】雄ねじ部の雌ねじ部に対する干渉力を大きくし、緩みを防止するねじを提供する。【解決手段】ねじ１０は、少なくとも軸部１１の一部における雄ねじ部１３の谷部の径寸法が、当該軸部１１の他部における雄ねじ部１３の谷部の径寸法よりも長く、軸部１１の一部における雄ねじ部１３の谷部が当該軸部１１の他部における雄ねじ部１３の谷部よりも太くなっている。つまり、ねじ１０は、少なくとも軸部１１の一部における雄ねじ部１３の谷底が、当該軸部１１の他部における雄ねじ部１３の谷底よりも底上げされた構成となる。雄ねじ部１３の山部の径寸法は、軸部１１の軸方向の全長にわたって全て同一の寸法で、雄ねじ部１３の山部のねじ山の角度なども、軸部１１の軸方向の全長にわたって全て同一となっている。【選択図】図１
0003188380.tif 000002
【実用新案登録請求の範囲】
【請求項１】
雄ねじ部が形成された軸部と、
この軸部の一端部に設けられた頭部と、を備えるねじであって、
前記軸部の一部における前記雄ねじ部の谷部の径寸法が前記軸部の他部における前記雄ねじ部の谷部の径寸法よりも長くなっているねじ。
【請求項２】
前記軸部のうち前記頭部側の部分における前記雄ねじ部の谷部の径寸法が前記軸部の他部における前記雄ねじ部の谷部の径寸法よりも長くなっている請求項１に記載のねじ。
【請求項３】
前記軸部のうち前記頭部から所定範囲内の部分における前記雄ねじ部の谷部の径寸法が前記軸部の他部における前記雄ねじ部の谷部の径寸法よりも長くなっている請求項１または２に記載のねじ。
【請求項４】
前記所定範囲として、前記軸部の全長の概ね半分の長さが設定されている請求項３に記載のねじ。
【請求項５】
前記所定範囲として、前記軸部の全長の概ね１／３の長さが設定されている請求項３に記載のねじ。
【請求項６】
前記所定範囲として、前記軸部の全長の概ね１／４の長さが設定されている請求項３に記載のねじ。
【請求項７】
前記所定範囲として、前記軸部の全長の概ね１／５の長さが設定されている請求項３に記載のねじ。
【請求項８】
前記軸部の一部における前記雄ねじ部の谷部の径寸法は、前記軸部の他部における前記雄ねじ部の谷部の径寸法よりも所定パーセントだけ長くなっている請求項１から７の何れか１項に記載のねじ。
【請求項９】
前記所定パーセントとして、概ね５パーセントが設定されている請求項８に記載のねじ。
【考案の詳細な説明】
【技術分野】
【０００１】
本考案は、ねじに関する。
【背景技術】
【０００２】
例えば特許文献１に開示されているように、従来のねじは、軸部に形成された雄ねじ部の谷部の径寸法が、当該軸部の基端部から先端部にかけて全て同一の寸法で設定されている。
【先行技術文献】
【特許文献】
【０００３】
【特許文献１】特開２００３−２０６９１８号公報
【考案の概要】
【考案が解決しようとする課題】
【０００４】
しかしながら、上述したような従来のねじでは、雄ねじ部が雌ねじ部に接触する力、即ち、雄ねじ部の雌ねじ部に対する干渉力が不足して、例えば振動などの外力によってねじが緩んでしまうおそれがある。
そこで、本考案は、雄ねじ部の雌ねじ部に対する干渉力を大きくすることができ、緩みを防止できるねじを提供する。
【課題を解決するための手段】
【０００５】
本考案に係るねじは、雄ねじ部が形成された軸部と、この軸部の一端部に設けられた頭部と、を備える。そして、軸部の一部における雄ねじ部の谷部の径寸法が、当該軸部の他部における雄ねじ部の谷部の径寸法よりも長くなっている。
この構成のねじによれば、軸部のうち谷部の径寸法が他部よりも長くなっている部分において、雄ねじ部が雌ねじ部に接触する力、即ち、干渉力が大きくなり、これにより、例えば振動などの外力によってねじが緩んでしまうことを防止することができる。
【図面の簡単な説明】
【０００６】
【図１】一実施形態に係るねじの側面図
【図２】変形例に係る図１相当図（その１）
【図３】変形例に係る図１相当図（その２）
【図４】変形例に係る図１相当図（その３）
【考案を実施するための形態】
【０００７】
以下、本考案の一実施形態について図面を参照しながら説明する。例えば図１に示すように、ねじ１０は、その全体が金属材料で形成されており、軸部１１と頭部１２とを備える。軸部１１の外周部には、その軸方向の全長にわたって、谷部および山部を有する雄ねじ部１３が形成されている。頭部１２は、軸部１１の一端部に当該軸部１１と一体的に設けられている。この頭部１２には、例えばドライバなどの締め付け用の工具を係合させるための係合部１４が形成されている。係合部１４は、例えば、プラスドライバに対応して十字状に形成されたり、マイナスドライバに対応して一文字状つまりすり割り状に形成されたり、レンチに対応して多角形状に形成されたりするなど、種々の形状の溝あるいは穴として形成される。また、頭部１２には鍔部１５が形成されている。
【０００８】
このねじ１０は、少なくとも軸部１１の一部における雄ねじ部１３の谷部の径寸法が、当該軸部１１の他部における雄ねじ部１３の谷部の径寸法よりも長くなっており、従って、軸部１１の一部における雄ねじ部１３の谷部が当該軸部１１の他部における雄ねじ部１３の谷部よりも太くなっている。つまり、ねじ１０は、少なくとも軸部１１の一部における雄ねじ部１３の谷底が、当該軸部１１の他部における雄ねじ部１３の谷底よりも底上げされた構成となっている。次に、この雄ねじ部１３の構成例について説明する。なお、雄ねじ部１３の山部の径寸法は、軸部１１の軸方向の全長にわたって全て同一の寸法となっている。また、雄ねじ部１３の山部のねじ山の角度なども、軸部１１の軸方向の全長にわたって全て同一となっている。
【０００９】
この場合、ねじ１０は、軸部１１のうち頭部１２側の部分１１ａにおける雄ねじ部１３の谷部の径寸法Ｄ１が、当該軸部１１の他部１１ｂ、つまり、頭部１２側の部分１１ａを除く先端側の部分における雄ねじ部１３の谷部の径寸法Ｄ２よりも長くなっている。即ち、ねじ１０は、軸部１１のうち頭部１２から所定範囲Ｌ内の部分における雄ねじ部１３の谷部の径寸法Ｄ１が当該軸部１１の他部における雄ねじ部１３の谷部の径寸法Ｄ２よりも大きくなるように構成されている。
【００１０】
なお、この所定範囲Ｌ、つまり、軸部１１が有する雄ねじ部１３のうち谷部の径寸法を他部よりも長くする範囲は、適宜変更して設定することができる。例えば図１に示す例では、この所定範囲Ｌとして、軸部１１の全長の概ね１／３ほどの長さが設定されている。なお、所定範囲Ｌを、厳密に軸部１１の全長の１／３の長さに設定してもよい。
【００１１】
また、この所定範囲Ｌ内の部分における雄ねじ部１３の谷部の径寸法Ｄ１は、軸部１１の他部における雄ねじ部１３の谷部の径寸法Ｄ２よりも所定パーセントだけ長くなっている。この場合、この所定パーセントとして概ね５パーセントほどが設定されている。従って、所定範囲Ｌ内の部分における雄ねじ部１３の谷部の径寸法Ｄ１は、軸部１１の他部における雄ねじ部１３の谷部の径寸法Ｄ２の概ね１０５パーセントほどの大きさとなっている。なお、所定パーセントとして厳密に５パーセントを設定してもよい。
【００１２】
本実施形態に係るねじ１０によれば、軸部１１の一部である部分１１ａにおける雄ねじ部１３の谷部の径寸法Ｄ１が当該軸部１１の他部１１ｂにおける雄ねじ部１３の谷部の径寸法Ｄ２よりも長く設定されており、従って、雄ねじ部１３の一部の谷部が他部の谷部よりも太くなっている。そのため、このねじ１０が図示しない雌ねじ部にねじ込まれる際には、谷部の径寸法が長くなっている部分、即ち、部分１１ａにおいて、雄ねじ部１３の谷部が雌ねじ部の山部に接触する力、即ち、雄ねじ部１３の雌ねじ部に対する干渉力が増大する。これにより、例えば振動などの外力によってねじ１０が緩んでしまうことを防止することができる。
【００１３】
また、ねじ１０によれば、特に軸部１１の基端部となる頭部１２側の部分１１ａにおいて谷部の径が他部１１ｂよりも長くなるように設定されている。従って、ねじ１０が雌ねじ部に完全にねじ込まれた状態となったときに軸部１１の根本部分でねじ１０が雌ねじ部に対してロックされるようになり、ねじ１０が雌ねじ部に完全にねじ込まれた状態を緩みなく維持することができる。また、軸部１１の先端側における谷部の径は長く設定されていないことから、雌ねじ部に対する軸部１１のねじ込みをスムーズに進めることができる。
また、ねじ１０によれば、雄ねじ部１３の谷部の径寸法のみを変更すればよく、雄ねじ部１３の山部の形状や角度を変える必要がない。
【００１４】
なお、本考案は、上述した一実施形態に限定されるものではなく、その要旨を逸脱しない範囲で変形あるいは拡張することができる。
例えば図２に示すように、ねじ１０は、所定範囲Ｌとして、軸部１１の全長の概ね半分ほどの長さを設定してもよい。また、ねじ１０は、所定範囲Ｌとして、厳密に軸部１１の全長の半分の長さを設定してもよい。また、例えば図３に示すように、ねじ１０は、所定範囲Ｌとして軸部１１の全長の概ね１／４ほどの長さを設定してもよい。また、ねじ１０は、所定範囲Ｌとして、厳密に軸部１１の全長の１／４の長さを設定してもよい。また、例えば図４に示すように、ねじ１０は、所定範囲Ｌとして軸部１１の全長の概ね１／５ほどの長さを設定してもよい。また、ねじ１０は、所定範囲Ｌとして、厳密に軸部１１の全長の１／５の長さを設定してもよい。
【００１５】
なお、所定範囲Ｌは、図１〜図４に示した長さに限られるものではなく、適宜変更して実施することができる。また、所定範囲Ｌが大き過ぎると雄ねじ部１３の雌ねじ部に対する干渉力が強くなり過ぎてしまい、一方、所定範囲Ｌが小さ過ぎると雄ねじ部１３の雌ねじ部に対する干渉力が弱くなり過ぎてしまうおそれがある。そのため、所定範囲Ｌとしては、軸部１１の全長の概ね１／３ほどの長さ、あるいは、厳密に１／３の長さを設定することが好ましい。
【００１６】
また、所定範囲Ｌ内の部分１１ａにおける雄ねじ部１３の谷部の径寸法Ｄ１は、軸部１１の他部１１ｂにおける雄ねじ部１３の谷部の径寸法Ｄ２よりも例えば概ね１０パーセントほど長く設定してもよい。また、所定範囲Ｌ内の部分１１ａにおける雄ねじ部１３の谷部の径寸法Ｄ１は、軸部１１の他部１１ｂにおける雄ねじ部１３の谷部の径寸法Ｄ２よりも厳密に１０パーセント長く設定してもよい。
【００１７】
また、所定範囲Ｌ内の部分１１ａにおける雄ねじ部１３の谷部の径寸法Ｄ１は、軸部１１の他部１１ｂにおける雄ねじ部１３の谷部の径寸法Ｄ２よりも例えば概ね３パーセントほど長く設定してもよい。また、所定範囲Ｌ内の部分１１ａにおける雄ねじ部１３の谷部の径寸法Ｄ１は、軸部１１の他部１１ｂにおける雄ねじ部１３の谷部の径寸法Ｄ２よりも厳密に３パーセント長く設定してもよい。即ち、上記の所定パーセントは適宜変更して設定することができる。
【００１８】
なお、所定範囲Ｌ内の部分１１ａにおける雄ねじ部１３の谷部の径寸法Ｄ１が大き過ぎると雄ねじ部１３の雌ねじ部に対する干渉力が強くなり過ぎてしまい、一方、所定範囲Ｌ内の部分１１ａにおける雄ねじ部１３の谷部の径寸法Ｄ１が小さ過ぎると雄ねじ部１３の雌ねじ部に対する干渉力が弱くなり過ぎてしまうおそれがある。そのため、所定範囲Ｌ内の部分における雄ねじ部１３の谷部の径寸法Ｄ１としては、軸部１１の他部における雄ねじ部１３の谷部の径寸法Ｄ２よりも概ね５パーセントほど長く、あるいは、厳密に５パーセント長く設定することが好ましい。
【００１９】
また、軸部１１の長さは適宜変更して実施することができる。そして、例えば軸部１１の長さに応じて、上記の所定範囲Ｌの長さや所定パーセントを適宜調整するとよい。また、軸部１１の先端部は、平坦な形状であってもよいし、尖った形状であってもよい。また、頭部１２の形状や大きさは適宜変更して実施することができ、例えば、丸みをおびたほぼ半球状あるいは半楕円球状であってもよいし、例えば六角柱状などの多角柱形状などであってもよい。また、ねじ１０を構成する金属材料は、例えば、鉄、アルミニウム、チタン、ステンレス、銅、あるいは、これらの合金など、種々の金属材料を採用することができる。また、ねじ１０は、金属製のねじに限られるものではなく、例えば、木製のねじや樹脂材料製のねじなどであってもよい。また、本考案は、いわゆるボルトやタッピンねじなど種々のねじ類にも適用することができる。
【符号の説明】
【００２０】
図面中、１０はねじ、１１は軸部、１２は頭部、１３は雄ねじ部を示す。
【図１】
0003188380.tif 000003
【図２】
0003188380.tif 000004
【図３】
0003188380.tif 000005
【図４】
0003188380.tif 000006